(57)【特許請求の範囲】
【請求項１】
ボイラを含む燃焼装置から排出される燃焼排ガス中に含まれる煤塵や硫黄酸化物を石灰石または石灰等を含む吸収剤スラリよりなる吸収液により吸収・除去する吸収塔を備えた湿式排煙脱硫装置において、
吸収塔出口部の天井面を水平面とし、吸収塔出口部の底面の始端部からガス流れと同じ方向に下向きに傾斜した傾斜部を設けたことを特徴とする湿式排煙脱硫装置。
【請求項２】
吸収塔出口部の底面の前記傾斜部の下端にドレン抜きラインを設置することを特徴とする請求項１記載の湿式排煙脱硫装置。
【請求項３】
前記傾斜部の下流側にミストエリミネータを配置し、該ミストエリミネータのドレン配管を前記傾斜部の下端に設けたドレン抜きラインと共用したことを特徴とする請求項１記載の湿式排煙脱硫装置。
【発明の詳細な説明】
【０００１】
【発明の属する技術分野】
本発明は湿式排煙脱硫装置に係り、特に排ガス中の硫黄酸化物（以下、ＳＯｘと記す）、煤塵を低減する吸収塔出口部への固形物堆積防止を図るのに好適な湿式排煙脱硫装置に関する。
【０００２】
【従来の技術】
従来の湿式排煙脱硫装置の系統を図３と図４に示す。図示しないボイラ等からの排ガス１は入口煙道３により吸収塔４に導入され、吸収塔４内に設置されたスプレ段８を介して、該スプレ段８に設置されたスプレノズル１１より噴霧される吸収剤の液滴と接触することにより、排ガス１中の煤塵や塩化水素（ＨＣｌ）、フッ化水素（ＨＦ）等の酸性ガスとともに、排ガス１中のＳＯｘが吸収剤液滴表面で吸収される。ガスに同伴される固形物を含んだミスト６０の一部は吸収塔出口部５０の底面に落下して吸収塔４に戻り、残りの固形物を含んだミスト６０はミストエリミネータ５により除去されてミストエリミネータドレン配管６１を経由して吸収塔４に戻される。ミストエリミネータ５を出た清浄な排ガス２は出口煙道６を経て、必要により再加熱されて煙突（図示せず）より排出される。また、このときの吸収塔４入口排ガス１中のＳＯｘ濃度は入口ＳＯｘ計４１で測定され、吸収塔出口排ガス中のＳＯｘ濃度は、出口煙道６に設けられた出口ＳＯｘ計４２により測定され、これらの測定結果から脱硫率が算出される。
【０００３】
ＳＯｘの吸収剤である石灰石は石灰石スラリとして石灰石スラリ槽１５から石灰石スラリポンプ１７により吸収塔４内の液溜部に供給される。このときの石灰石スラリ供給量はＳＯｘ吸収量に応じて石灰石スラリ流量調節弁１８で調節される。吸収液は吸収塔循環ポンプ７により昇圧され、吸収塔４内のスプレ段８に供給される。吸収塔４内で除去されたＳＯｘは吸収液中のカルシウムと反応し、中間生成物として亜硫酸カルシウム（重亜硫酸カルシウムを含む）になり、吸収塔４内の液溜部に導入される酸化用空気により、石膏に酸化されて最終生成物（石膏）となる。このように吸収塔４内に空気を直接供給することにより、排ガス中のＳＯｘの吸収反応と、生成した亜硫酸カルシウムの酸化反応を同時に進行させることにより反応全体が促進され、脱硫性能が向上する。なお、その際吸収塔４に供給される酸化用空気は、酸化用攪拌機２６により微細化することにより、酸化空気の利用率を高めている。
【０００４】
その後、吸収塔４の液溜部の吸収液スラリは抜出しポンプ９により生成石膏量に応じて抜出されるが、その一部はｐＨ計タンク３０に送られ、該ｐＨ計タンク３０に設置されたｐＨ計３１により吸収液のｐＨが測定される。その他の吸収液は、石膏脱水設備１０に送られ、粉体の石膏として回収される。
【０００５】
一方、石膏脱水設備１０で分離された水１２はろ液槽１９に貯えられ、ろ液ポンプ２０により石灰石スラリ槽１５等に送られて系内補給水１３として再利用される一方、一部は塩素等の濃縮を防ぐために排水１４として抜き出され、排水処理設備１６に送られる。ろ液槽１９には液レベルを一定に保つために、調整弁６４により補給水が供給される。
【０００６】
排水処理設備１６では排水１４中に含まれる各成分に対して排水基準値以下となるように、薬品が添加されたり、イオン吸着樹脂等を通すことによる化学的処理や、菌類による生物的処理が行われ、排水中の有害物質の除去処理が行われる。
【０００７】
上記従来技術において、吸収塔出口部５０は図４に示すように吸収塔出口部ガス流れ５１に沿って昇り傾斜を設けていた。
【０００８】
【発明が解決しようとする課題】
上記従来技術においては、図４に示すように、吸収塔出口部５０は吸収塔出口部ガス流れ５１に沿って上り傾斜が設けてあり、吸収塔出口部５０の底面に落下した固形物を含むミスト６０が吸収塔出口ドレン５２となって吸収塔４に戻る際に吸収塔出口部ガス流れ５１と吸収塔出口ドレン流れ５３が逆向きのため、吸収塔出口部５０の底面に固形物の堆積が起きやすい。吸収塔出口部５０の底面への固形物の堆積を防止するためには該底面の傾斜角を大きくする必要があるが、このために吸収塔４の塔高が高くなるという問題点があった。
【０００９】
本発明の課題は、吸収塔の塔高を上げることなく吸収塔出口部に固定物の堆積が起こるのを防止することにある。
【００１０】
【課題を解決するための手段】
本発明の上記課題は、ボイラを含む燃焼装置から排出される燃焼排ガス中に含まれる煤塵や硫黄酸化物を石灰石または石灰等を含む吸収剤スラリよりなる吸収液により吸収・除去する吸収塔を備えた湿式排煙脱硫装置において、吸収塔出口部の天井面を水平面とし、吸収塔出口部の底面の始端部からガス流れと同じ方向に下向きに傾斜した傾斜部を設けた湿式排煙脱硫装置で解決される。
【００１１】
【作用】
吸収塔出口部の底面に吸収塔出口部ガス流れに沿って下り方向の傾斜部を設けることにより、該底面に落下した固形物を含むミストが吸収塔出口ドレンとなって吸収塔に戻る際に吸収塔出口部ガス流れと吸収塔出口ドレン流れが同じ向きになるため、吸収塔出口ドレンが流れやすくなり、吸収塔出口部の底面に固形物の堆積が起きにくくなる。また、吸収塔出口部の底面の傾斜部を吸収塔出口部ガス流れに沿って下向きにしていることから吸収塔の塔高が高くなることがない。
【００１２】
【発明の実施の形態】
本発明の実施の形態について図面と共に説明する。
本発明による湿式排煙脱硫装置の吸収塔出口部５０の構造について図１に示す。なお、図１に示す構成は、図３で説明した従来の湿式排煙脱硫装置の系統の吸収塔部分に適用される。
【００１３】
図示しないボイラ等からの排ガス１は入口煙道３により吸収塔４に導入され、吸収塔４内に設置されたスプレ段８を介して、該スプレ段８に設置されたスプレノズル１１より噴霧される吸収剤の液滴と接触することにより、排ガス１中の煤塵や塩化水素（ＨＣｌ）、フッ化水素（ＨＦ）等の酸性ガスとともに、排ガス１中のＳＯｘが吸収剤液滴表面で吸収される。ガスに同伴される固形物を含んだミスト６０の一部は吸収塔出口部５０の底面に落下して吸収塔４に戻り、残りの固形物を含んだミスト６０はミストエリミネータ５により除去されてミストエリミネータドレン配管６１を経由して吸収塔４に戻される。ミストエリミネータ５を出た清浄な排ガス２は出口煙道６を経て、必要により再加熱されて煙突（図示せず）より排出される。
【００１４】
また、ＳＯｘの吸収剤である石灰石は石灰石スラリとして石灰石スラリ槽１５（図３参照）から石灰石スラリポンプ１７（図３参照）により吸収塔４内の液溜部に供給される。このときの石灰石スラリ供給量はＳＯｘ吸収量に応じて石灰石スラリ流量調節弁１８（図３参照）で調節される。吸収液は吸収塔循環ポンプ７により昇圧され、吸収塔４内のスプレ段８に供給される。吸収塔４内で除去されたＳＯｘは吸収液中のカルシウムと反応し、中間生成物として亜硫酸カルシウム（重亜硫酸カルシウムを含む）になり、導入される酸化用空気から吸収塔４に供給される空気により、石膏に酸化されて最終生成物（石膏）となる。このように吸収塔４内に空気を直接供給することにより、排ガス中のＳＯｘの吸収反応と、生成した亜硫酸カルシウムの酸化反応を同時に進行させることにより反応全体が促進され、脱硫性能が向上する。なお、その際吸収塔４に供給される酸化用空気は、酸化用攪拌機２６により微細化することにより、酸化空気の利用率を高めている。
【００１５】
図１に示す構成では吸収塔出口部５０に吸収塔出口部ガス流れ５１と同じ方向に下り勾配の傾斜部を設け、傾斜部下端に吸収塔出口ドレン５２を吸収塔４に戻すために吸収塔出口ドレン配管５４を設けている。
【００１６】
吸収塔出口部５０の底面に吸収塔出口部ガス流れ５１に沿って下り方向の傾斜を設けることにより、前記底面に落下した固形物を含むミスト６０が吸収塔出口ドレン５２となって前記底面を流れる際に吸収塔出口部ガス流れ５１と吸収塔出口ドレン流れ５３が同じ向きになるため、吸収塔出口ドレン５２が流れやすくなる。
【００１７】
このように吸収塔出口ドレン流れ５３が吸収塔出口部ガス流れ５１と同じ向きに流れるため、吸収塔出口ドレン５２が流れやすくなり、吸収塔出口部５０底面に固形物の堆積が起きにくくなる。その後、吸収塔出口ドレン５２は吸収塔出口ドレン配管５４を経由して吸収塔４に戻される。尚、吸収塔出口部５０の底面の傾斜部を吸収塔出口部ガス流れ５１に沿って下向きにしていることから吸収塔４の塔高を低くすることが可能となる。
【００１８】
また、図２に示すようにミストエリミネータドレン配管６１をミストエリミネータ５の前流側に設置することにより、吸収塔出口ドレン配管５４と兼用する構成にしても良い。
【００１９】
【発明の効果】
本発明によれば、吸収塔出口部底面に固形物が堆積するのを防止できるので、装置の定期点検時に行う堆積固形物除去作業を低減することができるとともに、吸収塔の塔高を低減できる効果がある。
【図面の簡単な説明】
【図１】  本発明になる実施の形態の湿式排煙脱硫装置の吸収塔出口部の構造を示す。
【図２】  本発明になる実施の形態の湿式排煙脱硫装置の吸収塔出口部の構造を示す。
【図３】  従来の湿式排煙脱硫装置の系統を示す。
【図４】  従来の湿式排煙脱硫装置の吸収塔出口部の構造を示す。
【符号の説明】
１  ボイラ等からの燃焼排ガス      ２  清浄な排ガス
３  入口煙道                      ４  吸収塔
５  ミストエリミネータ            ６  出口煙道
７  吸収塔循環ポンプ              ８  スプレ段
９  抜出しポンプ                  １０  石膏脱水設備
１１  スプレノズル                １２  石膏脱水設備で分離された水
１３  系内補給水                  １４  排水
１５  石灰石スラリ槽              １６  排水処理設備
１７  石灰石スラリポンプ          １８  石灰石スラリ流量調整弁
１９  ろ液槽                      ２０  ろ液ポンプ
２６  酸化用攪拌機                ３０  ｐＨ計タンク
３１  ｐＨ計                      ４１  入口ＳＯｘ計
４２  出口ＳＯｘ計                ５０  吸収塔出口部
５１  吸収塔出口部ガス流れ        ５２  吸収塔出口ドレン
５３  吸収塔出口ドレン流れ        ５４  吸収塔出口ドレン配管
６０  固形物を含むミスト          ６１  ミストエリミネータドレン配管
６４  調整弁
【図１】
0003829976.tif 000002
【図２】
0003829976.tif 000003
【図３】
0003829976.tif 000004
【図４】
0003829976.tif 000005